Podtech/llm-jp-corpus-v4-ja_patent huggingface dataset:
(57)【要約】【課題】大震災をはじめとした自然災害等により、予期せぬ発電所や変電所の停止が発生すれば、どうしても電力会社は街ごと停電せざるを得ない。これは防ぎようもない事であるが、交通信号が停止した場合には、事故の可能性が高くなり危険な為、誰もが災害時にも信号機の安定稼働を願っている。【解決手段】自然エネルギーだけで電源供給し、発電のバラつきを蓄電池で補う事で、停電時でも信号機点滅が出来る。従来の電球型ではなく、ＬＥＤ型の信号機であれば太陽光パネルなどの安定的に供給される発電と蓄電池を組み合わせる事で、長期間継続的に信号機の自動点滅が可能になる。【選択図】図１
2016081490.tif 000002
【特許請求の範囲】
【請求項１】
自然エネルギーおよび夜間電力を蓄えた電池等を電源にして、エネルギー使用状況をモニターし、省エネアドバイスが可能な災害対応型ゼロエネルギー信号機システム。
また電池の電圧低下時には警報をあらかじめ登録した携帯等に配信し、事故を未然に防ぐ為の機能を有するゼロエネルギー信号機システム。
【請求項２】
あらかじめ信号機制御盤に省エネナビや簡易ＢＥＭＳ（ビルエネルギーマネジメントシステム）等を内蔵し、登録された過去のエネルギー使用量に基づいてどれだけ省エネやＣＯ２削減につながっているかを交差点単位で確認可能なＬＥＤ信号機システム。
【請求項３】
所轄の電力会社におけるピーク電力（デマンド値）をＬＥＤ信号機に点滅等で表示し、地域における、街ごと省エネの普及啓発をする事が出来る信号機システム。
【請求項４】
地域の外気ＣＯ２濃度や放射線量が併せて表示可能な信号機システム。
【請求項５】
自然エネルギーのみで信号機の点灯や制御を行い、非常時のみ電力会社に接続が可能なゼロエネルギーＬＥＤ信号機システム。
【発明の詳細な説明】
【技術分野】
【０００１】  本発明は、信号機の省エネ技術に関する。
【背景技術】
【０００２】  信号機の省エネといえばＬＥＤ化であり、１０年ほど前から「温室効果ガス排出総量削減義務化とエネルギー起源ＣＯ２削減を目的に導入が進んでいる。【０００３】  特に従来の電球式信号機は車両用７０Ｗ、歩行者用６０Ｗであり、それが約２００万基あるのでＬＥＤ化することで１／５の消費電力になることから、都市部から地方へ向けて、広がっている現状である。【０００４】  現在の信号機システムは電力会社から交流電源で電力供給を受け、点滅制御をしているために台風・地震・雷などの災害時に停電が発生すれば、交差点では交通の混乱を招き、事故につながるという問題を抱えている。【０００５】  このような非常時には警察官が手旗信号で交通整理にあたるか、非常用発電機が備えてあれば良いのであるが、そのような交差点はあまり見当たらない。非常用発電機は小型エンジンを内蔵する為に燃料補給の手間が必要なことや、燃料高騰の社会情勢からも普及が遅れている。【０００６】  したがって災害時に電源が喪失しても、信号機が自動点滅を続けられるようなシステムの構築が急がされている。
【発明が解決しようとする課題】
【０００７】  信号機システムとしての電力分析を調査して分かったことは信号機で一番電力消費の多い処は制御盤であり、ここに１週間程度の期間、自然エネルギーだけで電力供給可能な組み合わせを構築するならば、−番短期間で可能となるのが太陽光発電と蓄電池である。信号機は絶対に止められない交通の心臓部であるだけに、常に遠隔監視で発電量と放電量、電池残量等のチェックが課題である。
【発明の開示】
【課題を解決するための手段】
【０００８】  本発明者等はこの課題を解決すべく、１０年前から群馬県の太田駅前に全国初の太陽光と風力のハイブリッド発電で点灯するＬＥＤ外灯（ゼロエネルギー外灯）をＮＥＤＯのモデル事業で導入し、電力会社に頼らないで、自然エネルギーだけで自動点滅を続ける本発明の基礎になるモデルを実証してきた。【０００９】  すなわち本発明の要旨とするところは、太陽光発電や風力発電などの自然エネルギーを蓄電池に貯え（充電）省エネ化されたＬＥＤ信号機を点滅させる（放電）ことであり、電力会社からの電力供給を受けないことを特長とするゼロエネルギー信号機である。【００１０】  従来の非常用発電機の考え方は電力会社側が停電する時が非常時で、その際に発電機を稼働させてきた訳である。しかしながら、本発明のゼロエネルギー信号機は蓄電池や太陽光発電がダウンした際の万が一の非常時に、電力会社に接続するという全く逆の発想で設計しているところも大きな特長である。
【発明の効果】
【００１１】  本発明は信号機の制御盤に電力の見える化である省エネナビや簡易ＢＥＭＳを併設して監視センターを構築し、ネットで住民に開放する事により、新しい地域産業振興にもつながると推測している。【００１２】  まず中心になる太陽光発電だけで始めるが、順次風力・マイクロ水力・バイオマス等地域に存在している再生可能エネルギー（自然エネルギー）を加えてハイブリッドに再設計すればゼロエネルギー信号機が地域活性化の起爆剤になると判断される。特に自治体が積極的に見える化を障害者の雇用につなげる目的で導入し、必要なメンテナンスは地元企業で請け負える仕組みづくりを構築することが望ましい。
【発明を実施するための最良の形態】
【００１３】  以下に本発明の図面を交えて詳細に説明する。本発明は電力会社と自治体が信号機について締結している電力供給約款の変更にもつながる為に必ず事前協議が必要である。特に供給約款は全国の電力会社１０社で独自の約款をもっているので変更手続きには注意が必要である。
【図面の簡単な説明】
【００１４】
【図１】本発明のシステム概略図である。
【図２】太陽光発電のみでゼロエネルギー信号機システムを構築した場合のイメージ図である。
【図１】
2016081490.tif 000003
【図２】
2016081490.tif 000004
(57)【要約】      （修正有）【課題】摩擦を大きくして、音程を狂いにくくするギター用ペグを提供する。【解決手段】糸巻きノブ２を取り外し可能にして、調弦時に、必要なペグにのみ、糸巻きノブ２を取り付けられるようにする。【効果】調弦時にしか、糸巻きノブ２を付けないため、調弦していない時に、誤って糸巻きノブを操作することによるギターの音程の狂いを避けることができる。演奏時のギター重量を低減することができる。ペグの取り付け位置の自由度が増し、デザイン性の向上が可能になる。【選択図】図１
2016081020.tif 000002
【特許請求の範囲】
【請求項１】
糸巻きノブを取り外し可能にしたギター用ペグ（糸巻き）。
【発明の詳細な説明】
【技術分野】
【０００１】  本発明は、ギターの音程が狂いにくくなるよう改善したペグに関するものである。
【背景技術】
【０００２】  ギターの音程の狂いを低減させるには、糸巻きノブを回転させる時の摩擦を大きくすることが対策の一つである。【０００３】  糸巻きノブは人の手で動かすため、糸巻きノブの回転時の摩擦を大きくするには、糸巻きノブのサイズを大きくすることが必要である。【０００４】  しかし、従来のペグには糸巻きノブが固定されている。【０００５】  このため、糸巻きノブは、ギターにペグが取り付けられた状態では、隣合う別の糸巻きノブとの干渉を避けるため、その大きさが限定されてしまう。
【発明の概要】
【発明が解決しようとする課題】
【０００６】  解決しようとする課題は、糸巻きノブのサイズを、隣合う別の糸巻きノブに関係なく、従来より大きくすることである。
【課題を解決するための手段】
【０００７】  本発明は、通常、ペグから糸巻きノブの部分を取り外しておき、調弦時のみ、調弦しているペグだけに糸巻きノブを取り付けて使用することで、この課題を解決するものである。
【発明の効果】
【０００８】  本発明の改良型ペグは、従来よりも、大きな糸巻きノブを利用可能である。このため、糸巻きのノブを回転させる時の摩擦力をより大きく、ギターの音程を狂いにくくすることが可能である。【０００９】  本発明の改良型ペグは、調弦時にしか、糸巻きノブを付けないため、調弦していない時に、誤って糸巻きノブを操作することによるギターの音程の狂いを避けることができる。【００１０】  本発明の改良型ペグは、糸巻きノブを調弦時にしか付けないため、演奏時のギター重量を低減することができる。【００１１】  本発明の改良型ペグは、糸巻きノブを調弦時にしか付けないため、ペグの取り付け位置の自由度が増し、デザイン性の向上が可能になる。
【図面の簡単な説明】
【００１２】
【図１】  本発明の斜視図（糸巻きノブを外した状態の改良型ペグ）
【図２】  本発明の斜視図（糸巻きノブを取り付けた状態の改良型ペグ）
【図３】  従来型ギターの正面図
【図４】  本発明を利用したギターの正面図
【発明を実施するための形態】
【００１３】  本発明の実施例の形態を、図１〜図４に基づいて説明する。
【００１４】  図１〜図２において、１は糸巻きシャフト、２は糸巻きノブ、３は六角棒、４はねじ歯車シャフト、５は六角穴である。
【００１５】  図１の３を、図１の４に差し込むと、図２に示す形となる。この状態で、２を回すことにより、１で弦の張力を調整可能になる。
【００１６】  図３は、従来型ペグを用いた場合の例で、２の糸巻きノブのサイズが、隣合う糸巻きノブとの干渉により限定されている。
【００１７】  図４は、改良型ペグを用いた場合の例で、２の糸巻きノブのサイズを、隣合う糸巻きノブとの干渉を考慮することなく、大型化できる。
【符号の説明】
【００１８】  １  糸巻きシャフト（はす歯歯車シャフト）
２  糸巻きノブ
３  六角棒
４  ねじ歯車シャフト
５  六角穴
６  ギターのヘッド
７  ギターのネック
８  ギターの弦
９  ギターのボディー
【図１】
2016081020.tif 000003
【図２】
2016081020.tif 000004
【図３】
2016081020.tif 000005
【図４】
2016081020.tif 000006
(57)【要約】【課題】耳介上部に掛けられた補聴器と眼鏡のテンプル又はモダンとの干渉を無くする事。【解決手段】テンプル（１０）は前方連結部（１１）より後方に頬骨弓又は頬骨筋Ｂから耳前まで延び、そして、そこから第一屈曲部（１２）として下方に曲がり、更に耳介の下を通り回り込むように第二屈曲部（１４）が設けられ、鼻パッド（２０）により鼻面が、第一屈曲部により頬骨弓又は頬骨筋が、第二屈曲部により耳介の下が、それぞれ支持される様にした。【選択図】図１
2016081023.tif 000002
【特許請求の範囲】
【請求項１】
テンプルは前方連結部より後方に頬骨弓又は頬骨筋から耳前まで延び、そして、そこから第一屈曲部として下方に曲がり、更に耳介の下を通り回り込むように第二屈曲部が設けられ、鼻パッドにより鼻面が、第一屈曲部により頬骨弓又は頬骨筋が、第二屈曲部により耳介の下が、それぞれ支持される様にされた事を特徴とする眼鏡。
【発明の詳細な説明】
【技術分野】
【０００１】  本発明は鼻面と、頬骨弓、頬骨筋と、そして耳介の下と、の三点により眼鏡を保持する眼鏡に関し、又、特に耳介上部で補聴器を使用する人が使用し易い眼鏡にも関する。
【背景技術及び課題】
【０００２】  従来、眼鏡の重さの支持や姿勢を制御するのには、鼻面と耳介上部の二点で支持する事が行われてきた。しかしながら、装着者が前向きになったり、後ろ向きや仰向きになったり色んな姿勢を取る事により、鼻面又は耳介上部への負担が掛かり、ひどい場合はただれる様に迄なってしまっていた。又テンプル端部を耳介上部に掛ける事により補聴器との兼ね合いで、眼鏡が掛けにくくなったり補聴器が使いにくくなったり等の不具合が生じてしまっていた。
【課題を解決するための手段】
【０００３】  上記課題を解決する為に、本発明者は、テンプルは前方連結部より後方に頬骨弓又は頬骨筋から耳前まで延び、そして、そこから第一屈曲部として下方に曲がり、更に耳介の下を通り回り込むように第二屈曲部が設けられ、鼻パッドにより鼻面が、第一屈曲部により頬骨弓又は頬骨筋が、第二屈曲部により耳介の下が、それぞれ支持される様にされた事を特徴とする眼鏡の提案を図った。
【発明の効果】
【０００４】  本発明を採用する事により、先ず、眼鏡を鼻面と、頬骨弓、頬骨筋と、耳介の下の三点で支える事により、鼻面又は耳介上部への負担が和らぎ、擦れたりただれたりがなくなった。次に、耳介上部に掛けた補聴器との干渉が無くなり、眼鏡も補聴器も快適にそれぞれ使用可能となった。
【図面の簡単な説明】
【０００５】
【図１】本発明の眼鏡の側面図
【図２】本発明の眼鏡の全体斜視図
【図３】補聴器を装着した耳側面参考図
【発明を実施するための最良の形態】
【０００６】テンプルは前方連結部より後方に頬骨弓又は頬骨筋から耳前まで延び、そして、そこから第一屈曲部として下方に曲がり、更に耳介の下を通り回り込むように第二屈曲部が設けられ、鼻パッドにより鼻面が、第一屈曲部により頬骨弓又は頬骨筋が、第二屈曲部により耳介の下が、それぞれ支持される様にされた事を特徴とする眼鏡。
【実施例１】
【０００７】  図１は本発明の実施例の眼鏡１を顔に装着した場合の側面図である。テンプル１０はフロントフレームとの連結部１１より後方に延び、頬骨弓又は頬骨筋Ｂ近辺で当接又は接触し、そしてそこを第一屈曲部として下方に曲がり、そして耳介の下Ｃまで延び耳介下部１３を回り込むように第二屈曲部１４が耳介の下（茎突舌骨筋）Ｃ近辺に当接又は接触する。【０００８】  そして、眼鏡のフロントフレームの鼻パッド２０によって鼻面Ａと前記第一屈曲部によって頬骨弓又は頬骨筋Ｂ近辺が支持され、第二屈曲部１４によって耳介の下部Ｃが支持され、以上三点によって眼鏡がしっかり顔面に保持される。耳介上部１６に眼鏡のテンプルを掛けなくてもぐらついたり外れたりする事はない。【０００９】  尚、第一屈曲部と第二屈曲部の処はテンプルとは別の材料で作られたモダンであっても良い。テンプルの材質は弾性を有するもので有れば金属の線材、エンプラ系の樹脂であっても良い。【００１０】  図２は本発明の眼鏡１の全体斜視図であって、このように簡単な構造及び形状であるので、今迄の部品等の利用が可能なので製造コストは安価に仕上がる。【００１１】  図３は補聴器３０を装着した耳４０の側面図であり、このような状態で従来の眼鏡を掛けるとテンプルをしっかり保持出来なくなり、安定性に掛ける事となる。【００１２】  しかし、図３の様にテンプル１０ａを第一屈曲部１２ａで頬骨弓又は頬骨筋で保持し、第二屈曲部１４ａで耳介の下Ｃを保持する事により、補聴器との組み合わせの問題は解決され、しかも眼鏡を保持する力が分散され鼻や耳４０への重さや力の集中も分散される事となった。
【産業上の利用可能性】
【００１３】  逆転の発想により、補聴器との兼ね合いも解消でき、これからの高齢化社会の役に立つ事となるであろう。
【符号の説明】
【００１４】１                            本発明実施例の眼鏡
１０                          テンプル
１１                          フロントフレームとの連結部
１２                          第一屈曲部
１３                          耳介下部
１４                          第二屈曲部
１６                          耳介上部
２０                          鼻パッド
３０                          補聴器
４０                          耳
Ａ                            鼻面
Ｂ                            頬骨弓・頬骨筋
Ｃ                            耳介の下
【図１】
2016081023.tif 000003
【図２】
2016081023.tif 000004
【図３】
2016081023.tif 000005
(57)【要約】【課題】ＰＣやタブレット端末での簡単な操作で、空欄を含む問題文を作成し、かつその解答を容易に見ることができるようにする。【解決手段】ＰＣやタブレット端末で動作するテキスト表示を行うソフトウェアにおいて、元々の文字を空欄表示に変える機能を設ける。そして、その機能を使用して作成された空欄を含む電子ファイルをＰＣやタブレット端末で見るとき、その空欄を外し元々の文字を見ることができる機能を設ける。【特許請求の範囲】
【請求項１】
ＰＣやタブレット端末で動作するテキスト表示を行うソフトウェアにおいて、指定した箇所を空欄とする機能。
【請求項２】
請求項１の機能を用いて作成した空欄のある電子ファイルをＰＣやタブレット端末で見るとき、タッチパネルやポインタによる容易な操作にて空欄を外す、つまり元々の文字を見ることができる機能。
【発明の詳細な説明】
【技術分野】
【０００１】  この発明はＰＣやタブレット端末上で動作するソフトウェアに関わり、特にテキスト（文字）の表示方法に関する。
【背景技術】
【０００２】  従来から、ＰＣやタブレット端末で動作するテキスト表示を行うソフトウェアにおいて、指定した文字に”下線”や”取り消し線”を表示させる機能がある。そして、この発明で示す機能に近いもので”隠し文字”の機能を持つソフトウェアが既にある。
【発明の概要】
【発明が解決しようとする課題】
【０００３】  しかしながら、既にある機能では、
（例）源氏物語の作者は、清少納言である。
という文を、
2016081022.tif 000002
という空欄を含む問題文になるように表示変更することはできない。
既にある”隠し文字”の機能を使用した場合、
（例）源氏物語の作者は、である。
となり、空欄ができるわけではないので、適切な問題文を作成できない。【０００４】  また、何らかの方法で空欄を含む問題文は作成できるとしても、その解答を簡単に用意することができない。例えば、別のページに解答欄を設けることになる。
【課題を解決するための手段】
【０００５】  本発明は、ＰＣやタブレット端末で動作するテキスト表示を行うソフトウェアにおいて、”下線”や”取り消し線”の他に”空欄”の表示機能を設けるものである。
2016081022.tif 000003
分からないようにするものである。【０００６】  そして、この空欄の色や表示パターンを選択できるようにする。例えば、
2016081022.tif 000004
【０００７】  また、この”空欄”の機能を使用した電子ファイルをＰＣやタブレット端末で見るとき、タッチパネル機能のあるものはタッチパネルの操作で、そうでないものはマウスなどによるポインタの操作で、各空欄を外す、つまり元々の文字を見ることができるような機能をソフトウェアに持たせるようにする。
2016081022.tif 000005
と表示されている空欄のところをタッチすることにより、あるいはポインタ操作することにより、下記の表示に変わるようにするものである。
（例）源氏物語の作者は、清少納言である。
以上により、空欄を含む問題文の作成がし易いだけでなく、通学中などにタブレット端末で、空欄のある問題を解きながら答えを確認していくという勉強法が可能となる。
【手続補正書】
【提出日】平成26年12月18日(2014.12.18)
【手続補正１】
【補正対象書類名】明細書
【補正対象項目名】全文
【補正方法】変更
【補正の内容】
【発明の詳細な説明】
【技術分野】
【０００１】  この発明はＰＣやタブレット端末上で動作するソフトウェアに関わり、特にテキスト（文字）の表示方法に関する。
【背景技術】
【０００２】  従来から、ＰＣやタブレット端末で動作するテキスト表示を行うソフトウェアにおいて、指定した文字に”下線”や”取り消し線”を表示させる機能がある。そして、この発明で示す機能に近いもので”隠し文字”の機能を持つソフトウェアが既にある。
【発明の概要】
【発明が解決しようとする課題】
【０００３】  しかしながら、既にある機能では、
（例）枕草子の作者は、清少納言である。
という文を、
2016081022.tif 000006
という空欄を含む問題文になるように表示変更することはできない。
既にある”隠し文字”の機能を使用した場合、
（例）枕草子の作者は、である。
となり、空欄ができるわけではないので、適切な問題文を作成できない。【０００４】  また、何らかの方法で空欄を含む問題文は作成できるとしても、その解答を簡単に用意することができない。例えば、別のページに解答欄を設けることになる。
【課題を解決するための手段】
【０００５】  本発明は、ＰＣやタブレット端末で動作するテキスト表示を行うソフトウェアにおいて、”下線”や”取り消し線”の他に”空欄”の表示機能を設けるものである。
2016081022.tif 000007
分からないようにするものである。【０００６】  そして、この空欄の色や表示パターンを選択できるようにする。例えば、
2016081022.tif 000008
【０００７】  また、この”空欄”の機能を使用した電子ファイルをＰＣやタブレット端末で見るとき、タッチパネル機能のあるものはタッチパネルの操作で、そうでないものはマウスなどによるポインタの操作で、各空欄を外す、つまり元々の文字を見ることができるような機能をソフトウェアに持たせるようにする。
2016081022.tif 000009
と表示されている空欄のところをタッチすることにより、あるいはポインタ操作することにより、下記の表示に変わるようにするものである。
（例）枕草子の作者は、清少納言である。
以上により、空欄を含む問題文の作成がし易いだけでなく、通学中などにタブレット端末で、空欄のある問題を解きながら答えを確認していくという勉強法が可能となる。
(57)【要約】      （修正有）【課題】右手で記入する時、綴じ具と筆記面に段差をなくしたバインダー式ノートブックを提供する。【解決手段】綴じ具１内側に多角形の台２を設けて、左頁の下敷きとなる板３を綴じ穴の内側にて屈曲させ台に係合し、筆記面を嵩上げする。【選択図】図１
2016055442.tif 000002
【特許請求の範囲】
【請求項１】
バインダー式ノートブックの綴じ具内側に多角形の台を設ける。板を綴じ穴内側にて屈曲、台に係合させて筆記作業の改善を特徴とする。
【発明の詳細な説明】
【技術分野】
【０００１】
本発明は、バインダー式ノートブックの綴じ具内側に多角形の台を設けて屈曲する板を係合し筆記用紙を嵩上げし筆記環境を改善するものである。
【背景技術】
【０００２】
綴じ具と筆記面に段差があり筆記作業がやりにくかった。
【先行技術文献】
【特許文献】
【０００３】
【特許文献１】特開２０１４−０００７８７号公報
【発明の概要】
【発明が解決しようとする課題】
【０００４】
バインダー式ノートブックと使っていると左頁に右手で記入する時  綴じ具と筆記面に段差があった。
本発明は以上のような欠点をなくすためになされたものである。
【課題を解決するための手段】
【０００５】
本発明は、綴じ具内側に多角形の台を設ける。
屈曲する板を台に係合させる。
【発明の効果】
【０００６】
綴じ具内側に多角形の基礎となる台を設ける。
台と係合させた板により嵩上げされ綴じ具を気にすることなく筆記作業が容易にできる。
【図面の簡単な説明】
【０００７】
【図１】バインダー式ノートブックの綴じ具１の内側に多角形の台２を設けて屈曲する板３を係合させた図面である。
【図２】屈曲する板３の図面である。
【発明を実施するための形態】
【０００８】
以下本発明を実施するための最良の形態について説明する
綴じ具内側に多角形の台を設ける。
綴じ穴内側にて屈曲する板を係合する。
本発明は以上のような構造である。
これを使用するときは筆記面が嵩上げされ綴じ具が干渉しないため筆記作業が容易にできる。
【図１】
2016055442.tif 000003
【図２】
2016055442.tif 000004
(57)【要約】      （修正有）【課題】プレジャーボート等、船の係留時に、海草・フジツボ等の貝類が付着するのを防止する。【解決手段】フロート部材を、例えばゴム材等で構成し、細長状のフロート本体部２と、このフロート本体部２に空気を注入するためチューブ状の注入パイプ３と、フロート本体部２の両端部にそれぞれ船ｆの手摺部に系止させるためのロープ部材４とで構成されている。フロート部材は、船を係留した際に、船の下面に船の船尾側から挿入配置され、ロープ部材４を船ｆの手摺部に形成させているＴ型（クリート）系止部に固定した後、フロート部材を膨張させることで船のスクリューｆ４も海上より浮くようになり、船を係留している際に海草やフジツボが付着することがなくなる。【選択図】図１
2016055858.tif 000002
【特許請求の範囲】
【請求項１】
船の下面に配置されるフロート部材であって、フロート部材本体部とフロート部材本体部に空気を注入する空気注入部と、フロート本体部を船に固定する固定部とで構成されていることを特徴とする船底保護用フロート部材。
【請求項２】
フロート本体部には中央部に船のセンターと一致する凹みが形成されていることを特徴とする請求項１の船底保護用フロート部材。
【発明の詳細な説明】
【発明の詳細な説明】
【技術分野】  プレジャーボート等、船の係留時に、海草・フジツボ等の貝類が付着するのを防止する為のフロートに関するものです。
【背景技術】
【０００２】  従来、プレジャーボート等の船と港湾施設等に係留する場合、船主は船を海上に浮かべた状態でロープ等により係留していた。
【発明の概要】
【発明の解決しようとする課題】
【０００３】  従来のような船の係留の仕方では、特に、スクリューを回す為に船本体後方にドライブシャフトが出ているタイプは、係留されている時もスクリューやシャフトが海中に沈んでいる為、海草やフジツボが付着しやすくなるという問題がある。
【課題を解決するための手段】
【０００４】  本発明は、前記した課題を解決するために、船を係留した際に、船の後部、つまりスクリューや、ドライブシャフトを海上に引き上げるようにするため船の下面にフロート部材を簡単に設置できるようにしたものである。
【図面の簡単な説明】
【０００５】
【図１】  本発明の全体構成を示す側面図である。
【図２】  本発明の全体構成を示す正面図である。
【図３】  本発明のフロート部材を折りたたんだ斜視図であるる。
【図４】  本発明のフロート部材を船の下面に配置した状態を示す正面図である。
【図５】  本発明のフロート部材を船の下面に配置して膨らませた状態を示す正面図である。
【図６】  本発明の第２の実施例を示す平面図である。
【図７】  本発明の第２の実施例を示す側面図である。
【図８】  本発明の第３の実施例を示す側面図である。
【発明を実施するための形態】
【実施例】
【０００６】  本発明について、図面に基づいて説明する。本発明のフロート部材１は、例えばゴム材等で構成され、図３に示すように、通常は折り畳まれている。【０００７】  そして、このフロート部材１は、細長状のフロート本体部２と、このフロート本体部２に空気を注入するためチューブ状の注入パイプ３と、フロート本体部２の両端部２ａ、２ａにそれぞれ船ｆの手摺部ｆ２に系止させるためのロープ部材４とで構成されている。【０００８】  上記のように構成されたフロート部材１は、船を係留した際に、船の下面ｆ２に船の船尾側から挿入配置される。（図４参照）【０００９】  そして、ロープ部材４を船ｆの手摺部ｆ２に形成させているＴ型（クリート）系止部ｆ３に固定する。【００１０】  このフロート部材１を船ｆの下側に配置した状態で空気ポンプ（図示せず）を使って注入パイプ３より空気を注入する。
（図５参照）【００１１】  このように、フロート部材１を膨張させることで船ｆの船尾が海上より浮くようになる。これにともない、船のスクリューｆ４も海上より浮くようになり、船を係留している際に海草やフジツボが付着することがなくなる。【００１２】  図６及び図７は、第２の実施例を示す。この実施例では、船ｆの下面に複数例えば４個のフロート部材を配置するようにしたものである。この実施例によれば、船ｆ全体が海上から浮きあがる様になるため、スクリューｆ４のみでなく船の下面ｆ２に海草やフジツボが付着しなくなる効果がある。【００１３】  図８は、第３の実施例を示す。この実施例では、フロート部材を、船ｆの側面に配置することで同士の船との接触などによる損傷を防止することができる。
【符号の説明】
【００１４】１    フロート部材
２    フロート本体部
３    注入パイプ
４    ロープ部材
ｆ    船
【図１】
2016055858.tif 000003
【図２】
2016055858.tif 000004
【図３】
2016055858.tif 000005
【図４】
2016055858.tif 000006
【図５】
2016055858.tif 000007
【図６】
2016055858.tif 000008
【図７】
2016055858.tif 000009
【図８】
2016055858.tif 000010
(57)【要約】      （修正有）【課題】上下に分け、スライドや折り畳んで、面積を縮小させる車の荷室のドアを提供する。【解決手段】狭い場所での利用や屋根の低い場所や後ろのスペースが広くない場所では、開いたドアは壁や天井にぶつかって、ドアにはもちろん壁や天井にも傷を負わせるという一枚構造ので不便さを解消するため、まわりの人にも自分にも、たびたび危険をもたらす車の荷室のドアを上下に分け、スライドしたり、折り畳んだりして、面積をコンパクトさせた。【選択図】図１
2016055857.tif 000002
【特許請求の範囲】
【請求項１】
上下をスライドしたり、折り畳んだりして、開け閉めする車の荷室ドア。
【発明の詳細な説明】
【発明の詳細な説明】
【技術分野】
【０００１】  この発明は、上下に分け、スライドや折り畳んで、面積を縮小させる車の荷室のドアに関するものである。
【背景技術】
【０００２】  従来の荷室のドアは、一枚構造で面積があまりにも大きすぎて、開け閉めはかなり大変、かつ不便でした。特に狭い場所での利用や屋根の低い場所や後ろのスペースが広くない場所では、開いたドアは壁や天井にぶつかって、ドアにはもちろん壁や天井にも傷を負わせることがよくありました。まわりの人にも自分にも、たびたび危険をもたらす。
【発明が解決しようとする課題】
【０００３】  ドアを如何にコンパクト的に、しかも安全的に使えるかという願望から、このような上下をスライドや折り畳めるドアを発明しました。
【課題を解決するための手段】
【０００４】  車の荷室のドアを上下に分け、スライドしたり、折り畳んだりして、面積を縮小させること。
【発明を実施するための形態】
【０００５】  車の荷室ドアをスライドしたり、折り畳んだりして、使用すること。
【発明の効果】
【０００６】  以上の実施形態を踏まえて、ドアの開け閉めの範囲を最小限にすることによって、非常に使いやすくなる。
【図面の簡単な説明】
【図１】  スライド経過中のドアの斜視図
【図２】  コンパクトしたドアの斜視図
【図３】  ドアが全開時の斜視図
【図４】  外折した荷室のドア
【図５】  うち折した荷室のドア
【図１】
2016055857.tif 000003
【図２】
2016055857.tif 000004
【図３】
2016055857.tif 000005
【図４】
2016055857.tif 000006
【図５】
2016055857.tif 000007
(57)【要約】      （修正有）【課題】車輪と地面との接触部の摩擦抵抗力を電力に替へて、取出す方法を提供する。つまり車輪と地面との摩擦抵抗を利用して、その抵抗力を利用して其の抵抗力を電力として取出す事で、車輌の駆動力の燃料を節約すること。【解決手段】車輪３にタイヤの直径に近い大きさの歯車５を取付け、その歯車の接地部に近い歯部に車体２に、歯車５の出力を取出す爲の歯車６を取付け、歯車６の出力を電力に替へる。【選沢図】図３【特許請求の範囲】
【請求項１】
車輪（３）に、車輪（３）の直径に近い円形の歯車（５）を取付け、歯車（５）の接地部に近い歯部と、歯車（６）の歯部とを噛合せ、歯車（６）の中心軸を通して発電機（７）を回転する如くした方法
【発明の詳細な説明】
【技術分野】
【０００１】本発明は車輌が前進して居る時  車輪と地面との接触の際の摩擦抵抗力に関するものである
【背景技術】
【０００２】從来の車輌等は、何れも燃料が必要であつた
【発明の開示】
【発明の解決しようとする課題】
【０００３】車輌燃料の節約を目的として居る
【課題を解決するための手段】
【０００４】上記の目的を達成するために、車輪と地面との摩擦抵抗力によつて生ずる力を出力として利用するものである
【発明の効果】
【０００５】從来の方法とは全く異なる方法での発明により、燃料の大巾節約が可能になつた
【発明を実施するための最良の形態】
【０００６】第１図參照、先ず自転車の車体と車輪で考へて見ると、図面では車輪（３）のタイヤ接地部には車体（２）と車輪（３）の重量が掛つている車輪（３）のＢ点を失印の方向に押して前進させると、Ｂ点はほとんど回転抵抗がないので輕く回転するが、車輪（３）のＡ点では摩擦抵抗の作用で、車輪（３）のＡ点ではタイヤが動かないので、Ａ点を中心にして前倒しとなり、車体（２）は左方に前進する事になる、そして此の摩擦柢抗の強さは意外と強く、Ｂ点を動かす力（自転車の駆動力）の３〜５倍以上あるＡ点の抵抗力は前進中も同じ強さである、そこで第３図、第４図參照、車輪（３）にタイヤの直径に近い大きさの歯車（５）を取付け、その歯車の接地部に近い歯部に車体（２）に、歯車（５）の出力を取出す爲の歯車（６）を取付け、歯車（６）の出力を電力に替へる如くすれば効果的と思われる
【図面の簡単な説明】
【０００７】
【図１】説明の爲の図面
【図２】本発明の正面図
【図３】本発明の側面図
【符号の説明】
【０００８】１      地面２      車体３      タイヤ車輪４      車輪の中心軸５      タイヤに取付けた歯車６      車体に取付けた歯車７      発電機８      説明の爲の点９      説明の爲の点
【図１】
2016055859.tif 000002
【図２】
2016055859.tif 000003
【図３】
2016055859.tif 000004
(57)【要約】【課題】従来の点眼方法は、液状の目薬を真上から眼球へ直接滴下するものであり、いやがる患者が多く、また正確に滴下するのが難しいため非効率的である。効率的に点眼するための方法が必要となる。【解決手段】液状の目薬を超音波によりミクロン・ナノレベルに微粒子化する機構をもつ容器を用いて、ミクロン・ナノドライミストとして眼球に向けて噴霧することで、角度を選ばず容易に点眼することが可能となる。さらに噴霧口にＬＥＤを搭載することで、より正確に患部に点眼することが出来る。この方法では痛みも伴わないため、小児や高齢者にも医薬品を施しやすくなる。また、目薬に加えて香料や薬剤を噴霧することで、同時に除菌・抗菌やアロマテラピーによる心療効果も期待出来る。【選択図】図２
2016055141.tif 000002
【特許請求の範囲】
【請求項１】
超音波による薬液の微粒子（ミクロン・ナノドライミスト）化、及び噴霧機構を備えた目薬容器。
【請求項２】
請求項１を使用した微粒子（ミクロン・ナノドライミスト）化した目薬の点眼方法。
【請求項３】
目薬だけでなく、除菌・消臭、及びアロマ効果をもつ薬剤・香料を加え、点眼と同時に噴霧することの出来る請求項１の容器。
【請求項４】
コンタクト装用時に目の表面を湿潤させることによって、スムーズに着脱を行うことが出来るようになる請求項２の点眼方法。
【発明の詳細な説明】
【技術分野】
【０００１】  本発明は目薬の形状、容器、及び点眼の方法に関するものである。
【背景技術】
【０００２】  従来の点眼は、液体状の目薬を真上から患者の目に滴下することで行ってきた。
【発明の概要】
【発明が解決しようとする課題】
【０００３】  眼球への直接滴下をいやがる患者が多く、また狙った部位へ正確に滴下するのが難しいため、点眼に失敗して何度もやり直すことになり、手間も薬も無駄である。【０００４】  かといって従来のスプレー式では噴霧範囲が広く、噴射される薬液の粒子径も大きいため、目の周囲に水滴が付いて不快であると同時に、汚れとともに患部に流れこむこともあり、不衛生である。
【課題を解決するための手段】
【０００５】  そこで、超音波などの高速振動によって薬液をミクロン・ナノサイズまで微粒子化し、極めて細かい霧状（ドライミスト）に噴霧することのできる目薬容器を発明した。
【発明の効果】
【０００６】  噴霧式にすることで、どのような角度からでも容易に且つむらなく点眼でき、また噴霧する薬液をミクロン・ナノドライミストにすることで眼球に対する衝撃をやわらげ、さらに周囲に付着してもベタつかず、水滴がつくこともないため、衛生的である。【０００７】  また、容器の噴霧口付近にＬＥＤ照明や色付きのマークをつけておくことで、それを見ながら噴霧することにより、より正確に患部に点眼することができる。【０００８】  また、目の表面が乾くとドライアイやコンタクトの着脱が困難になるが、ミストで湿潤させることによって解消することが出来る。
【図面の簡単な説明】
【０００９】
【図１】本発明に係る目薬容器を示した立体図である。
【図２】本発明に係る目薬容器の使用法を示した図である。
【符号の説明】
【００１０】ａ  目薬を入れる容器
ｂ  噴霧口
ｃ  ＬＥＤライト
ｄ  噴霧ボタン
ｅ  眼球
【実施例】
【００１１】  本発明の目薬容器としては、図１に示すような携帯型の超音波噴霧器が数多く市販されているので、最適のものを選んで使用する。【００１２】  実際に点眼する際は、図２のように眼球に近づけて押しボタンを押し、目薬を噴霧させることで行い、この時空気中ではドライなミストが拡散されるが、眼球粘膜にあたるとウェットとなり、すみやかに患部に付着・浸透する。【００１３】  また、目薬だけでなく、花やハーブの香料を同時に噴霧することで、アロマの心療効果を付加することもでき、目の疲れからくる鬱の治療や、目の手術後のケアなどに高い効果が期待できる。
【図１】
2016055141.tif 000003
【図２】
2016055141.tif 000004
(57)【要約】      （修正有）【課題】肩に掛けたホルダーのフックでレジ袋を保持するレジ袋保持具を提供する。【解決手段】細い素材の支軸１の上部にへ型Ｒ２を設け、上部先端に背当て部３を設け、下部に巾のあるフック４を設けた肩掛けレジ袋保持ホルダーである。【選択図】図２
2016055142.tif 000002
【特許請求の範囲】
【請求項１】
2016055142.tif 000007
下部に巾のあるフックを設けたことを特徴とする肩掛けレジ袋保持ホルダー。
【発明の詳細な説明】
【技術分野】
【０００１】本発明は、肩掛けホルダー下部にフックを設けレジ袋をフックで保持する保持具に関するものである。
【背景技術】
【０００２】従来、レジ袋は手持ちで保持していた。
【発明の開示】
【発明が解決しようとする課題】
【０００３】そのために、次のような問題点があった。
（イ）、手持ちでレジ袋保持は手が塞がり不自由であった。
本発明は、これらの問題点を解決するためになされたものである。
【課題を解決するための手段】
【０００４】
2016055142.tif 000003
下部に巾のあるフックを設けたことを特徴とする肩掛けレジ袋保持ホルダーである。
【発明の効果】
【０００５】肩に掛け装着したホルダーのフックにレジ袋を掛けることができ手が自由になり便利又安全である。
【発明を実施するための最良の形態】
【０００６】以下、本発明の実施の形態について説明する。
2016055142.tif 000004
を設け、下部にレジ袋を掛けるフック（４）を設ける。
2016055142.tif 000005
に掛け装着してフックにレジ袋を掛ける。巾のあるフックのためにホルダーが左右に擦れることも少ない。
【実施例１】
【０００７】図２に示すように、肩に掛けたホルダーフックでレジ袋を保持で来る。両手が自由になり大変便利である。
【図面の簡単な説明】
【０００８】
【図１】本発明の斜視図
【図２】本発明を両肩に掛けフックでレジ袋を保持している実施例を示す正面図
【図３】本発明を両肩に掛け背後から見た実施例を示す背面図
【符号の説明】
【０００９】１  支軸
2016055142.tif 000006
３  背当部
４  フック
【図１】
2016055142.tif 000008
【図２】
2016055142.tif 000009
【図３】
2016055142.tif 000010
(57)【要約】      （修正有）【課題】老化による顔面の皮膚のたるみをひきあげる簡易の美容道具を提供する。【解決手段】小さい平面で、耳の前と後ろのはなれた２点間をむすんで引き上げ固定する用法のテープであり、従来品は粘着剤が全面に塗布されており、引上げ効果が弱くより効果的に使用しやすく考案したフェイスラインリフトアップテープであるが伸縮性をもつ基材本体で、粘着剤が塗布、又は塗布されていない細幅部分Ｃの両側に、裏面に粘着剤が塗布されたＡ，Ｂの平面を有する一体型のテープである。【選択図】図１
2016055140.tif 000002
【特許請求の範囲】
【請求項１】
フェイスラインリフトアップテープであるが伸縮性をもつ基材本体で、裏面に粘着剤が塗布、又は塗布されていない細幅部分Ｃの両側に、裏面に粘着剤が塗布されたＡ，Ｂの平面を有する一体型のテープであることを特徴とする簡易の美容道具である。
【請求項２】
片面Ａを耳前部ともみあげの間に貼り付け引きあげながらＣ部が耳上部を通り耳裏部で片面Ｂを張り付けフェイスラインのたるみを固定する用法である。
【発明の詳細な説明】
【技術分野】
【０００１】本発明は、老化による顔面の皮膚のたるみをひきあげる簡易の美容道具である。
【背景技術】
【０００２】従来、女性の若く見えたい願望をかなえるため皺伸ばしテープや、たるみひきあげテープが開発されている。（先行技術文献１参照）
【先行技術文献】
【０００３】
【特許文献１】特開  ２００４−３１３２７７号公報
【発明の概要】
【発明が解決しようとする課題】
【０００４】  従来の技術の全面に粘着力のある一枚のテープを用いては引き上げた際に皮膚に皺がよりやすく、引上げ力も弱いので日中使用するには技術が必要である。
本発明は、以上のような欠点をなくすためになされたものである。
【課題を解決するための手段】
【０００５】  日中使用出来、フェイスラインをより効果的に引き上げる為に小さい平面で耳の前と後ろの離れた２点間を結んで引き上げる。
【発明の効果】
【０００６】  外見上気づかれにくく、引き上げ効果も高く誰でも容易に使用出来る。
【発明を実施するための最良の形態】
【０００７】  以下、本発明の実施の形態を説明する。
（イ）伸縮性のあるテープ本体Ａ，Ｂの裏面には粘着剤が塗布されている。
（ロ）粘着剤が塗布された面は、剥離紙ａ，ｂを貼る。
（ハ）一体型のテープのＡ・Ｂの面部分の間にある細幅部分Ｃの裏は粘着剤が塗布、叉は塗布されていない。
（ニ）剥離紙ａ，ｂの上に本体テープＡ，Ｃ，Ｂ、さらに本体テープを保護する剥離フィルムＤの３層構造である。
本発明は、以上の構成よりなる。
本発明を使用する場合は、剥離紙ａをはがし、耳の前部ともみあげの間でフェイスラインのたるみをひきあげてＡ部を貼り付け指でＡ部を抑えたままＣ部を引き伸ばしながら耳の上を通り耳裏までまわしｂの剥離紙をはがしＢ部を押さえ貼り付ける。最後に保護フィルムＤを剥がす。
【図面の簡単な説明】
【０００８】
【図１】本発明の正面図
【図２】本発明の裏面図
【図３】本発明の断面図
【図４】本発明の実施図
【符号の説明】
【０００９】１：Ａ  本体テープの裏面に粘着剤が塗布された両サイドの片側部分
２：Ｂ  本体テープの裏面に粘着剤が塗布された両サイドのもう片側部分
３：Ｃ  本体テープの裏面に粘着剤が塗布、又は塗布されてない中央細幅部分
４：Ｄ  保護フィルム
５：ａ  剥離紙・本体テープＡ、Ｃ側
６：ｂ  剥離紙・本体テープＢ側
７：Ｅ  粘着剤
８：イ  使用顔側面表図
９：ロ  使用顔側面裏図
【図１】
2016055140.tif 000003
【図２】
2016055140.tif 000004
【図３】
2016055140.tif 000005
【図４】
2016055140.tif 000006
(57)【要約】      （修正有）【課題】気持ちよく清潔に使用できる便座装置を提供する。【解決手段】蓋ウの裏にＬＥＤ紫外線ランプテを埋め込み、便座イを消毒する。センサーの感知で蓋ウが立ち上がると、アルコールを浸した拭き布ヌを取り付けた便座拭桟トがモーター駆動され、下方に取り付けたタイヤカとで便座イを挟み込み、便座イ上を往復動する。これによって便座イがアルコール消毒される。これらの作業を便器アの使用前、使用後に行うことにより、便座イが常に清潔に保たれる。【選択図】図１
2016055136.tif 000002
【特許請求の範囲】
【請求項１】
洋式トイレの便座を、自動で清潔で綺麗に便座が拭かれ消毒し掃除される便座である。
【請求項２】
便座の蓋がセンサーで感知し、便器の蓋が上がり便座がアルコール消毒され拭き掃除され安全、安心な便座である。
【請求項３】
新しい専用便座で形状も従来の便座とは異なり、また便座の裏に溝があり、その溝に誘導され、拭き掃除するカートリッジが拭きながら移動する仕組みである。
【請求項４】
便器の蓋にはＵ字形に一列にＬＥＤ紫外線ランプが埋め込んであり殺菌消毒する機能も付けてある。
【請求項５】
便座の裏の溝に、左右に溝が波形になるように彫ってある。拭き布（カートリッジ）が左右に振れながら拭き、行き帰りする事で拭き感が高まるのである。
【発明の詳細な説明】
【技術分野】
【０００１】  日本が世界に誇る便器だが、便座は直に人の肌が触れる為に気持ちが悪く、トイレットペーパーを敷いて使用するか、ペーパーで拭いてから使用する。そこで、使用前、使用後に便座が拭かれＬＥＤ紫外線ランプで消毒出来るように考案、発明し技術でまた世界を驚かす技術である。
【背景技術】
【０００２】  洋式便器の便座だけが、研究が遅れていた。そこで、人の肌が直に触れる所だけに気持ちが悪い。それを解決した技術が清潔便座である。
【発明の開示】
【発明が解決しようとする課題】
【０００３】  日本が誇る水洗トイレは世界一の便器であるが、今だ便座においては研究、開発が遅れていたのである。そこで便座の蓋の裏にＬＥＤ紫外線ランプが埋め込まれてあり、使用前にセンサーが感知し蓋が上がり、便座がアルコール消毒して拭かれるのである。
【課題を解決するための手段】
【０００４】  便座を気持ちよく使う為に安心、安全が一番である。便器の蓋の裏にＬＥＤ紫外線ランプを埋め込んだ。ランプで殺菌、消毒し使用前センサーが感知し蓋が上がり便座がアルコール消毒で拭いて綺麗にしてくれる掃除機である。
【発明の効果】
【０００５】  見ず知らずの複数の人が使った便座は誰もが気持ち悪い。そこで一回一回拭き掃除、消毒され綺麗で清潔な画期的な便座で発明効果は好評であった。
【発明を実施するための最良の形態】
【０００６】  今日の技術を持ってすれば、いとも簡単であり開発にも時間も掛らず、すぐに普及する事になる。
【実施例】
【０００７】  試作、実検の結果、非常に清潔で綺麗に拭かれており大好評であったのである。
【産業上の利用可能性】
【０００８】  日本が誇る、水洗トイレ。外国で驚かれ絶賛されている便器に、また不可価値が付き、日本人の清潔、綺麗好きがまた見直されたオンリーワンである。
【図面の簡単な説明】
【０００９】図面の名称
【図１】Ａ  便器と便座の正面断面図  Ｂ  便器と便座の側面断面図  Ｃ  便器の上面図  Ｄ  便器、便座、カートリッジの正面図  Ｅ  便座の上をカートリッジが移動した図
【図２】Ｆ  便座の蓋の裏にＬＥＤ紫外線ランプを埋め込んだ図  Ｇ  カートリッジ側面断面図  Ｈ  便座の裏の溝を左右に彫った図
（ア）便器                            （タ）便座ジョイント
（イ）便座                            （チ）歯車（ギヤ）
（ウ）便器の蓋                        （ツ）便座の溝
（エ）アルコール除菌                  （テ）ＬＥＤ紫外線ランプ
（オ）カートリッジアーム              （ト）便座拭桟
（カ）タイヤ                          （ナ）水洗タンク
（キ）モーター                        （ニ）水
（ク）基板（集積回路）                （ヌ）拭き布（ロール）
（ケ）カートリッジ                    （ネ）矢印は移動を表す
（コ）プラグ                          （ノ）外タイヤ、カードカバー
（サ）電気コードとスプリングコード    （ハ）内蔵内タイヤ
（シ）消毒用アルコールボトル          （ヒ）インバーター
（ス）ボトルキャップ                  （フ）コンデンサー
（セ）センサー                        （ヘ）便座クッション枕
（ソ）カートリッジカバー              （ホ）便座とタンクとの隙間
（マ）フロート（ウキ）
（ミ）止水弁
【図１】
2016055136.tif 000003
【図２】
2016055136.tif 000004
(57)【要約】【課題】  従来の洗浄方法は石鹸による泡洗浄が主流でしたが、合成洗剤が非常に安価で早く製造できたため、合成洗剤を使用する頻度が高まってきた。そのために環境汚染や手あれなどの問題も発生してきた。近年は野菜や肉、魚などの、食品の洗浄も求められてきたため泡洗浄よりもアルカリ洗浄の注目が高まっている。アルカリが弱い場合はあまり問題起きなかったが、アルカリが強まると皮膚や素材を痛める問題が生じてくる。自然界を観てみると酸化力での洗浄が主流で有ることに気づき、安全性の高い物から酸化力のある物が出来ないかと思い本発明を考える。危険な薬品を用いなくても、簡単に酸化力のある溶存酸素アルカリ性水の製造方法を提供する。【解決手段】  炭酸ソーダの水溶水のOH-をオゾン処理して促進酸化法でOHラジカル水Ａを製造する。【選択図】  なし【特許請求の範囲】
【請求項１】
炭酸ソーダ(Na2CO3)を水に溶かしてオゾン処理しOH-をOHラジカルに変化させ強い酸化力の特徴とするOHラジカル水製造方法
【請求項２】
水500mlに炭酸ソーダ0.1〜100gを溶かし、オゾン処理を1〜30分間することを特徴とする請求項１記載のOHラジカル水製造方法。
【発明の詳細な説明】
【技術分野】
【０００１】
本発明は、従来のOHラジカル水は過酸化水素などにオゾンを溶解して促進酸化処理して製造していたが、危険性があるため安全性の高い炭酸ソーダ(食品添加物)水に含まれるOH-にオゾン反応で作られた酸化剤の製造方法に関するものである。
【背景技術】
【０００２】
従来のOHラジカル水は過酸化水素など危険な薬品を使用していたためOHラジカルの酸化力を利用する場面が限られていた。
アルカリが強いと皮膚や素材を痛めることが有り、使用する時に注意が必要だった。
炭酸水をオゾン処理して洗浄力を高める方法もあったがそれは、泡の分子を細かくして洗浄力を高める方法なので泡洗浄の分野である。
【先行技術文献】
【特許文献】
【０００３】
【特許文献１】特開２０１０−１３２８２３号公報
【発明の概要】
【発明が解決しようとする課題】
【０００４】
この問題を解決するために熱分解や電気分解などしてOH-を発生させアルカリ性を高める方法はあったが、危険性や手荒、時間がかかるなど問題があった。
アルカリ性を高めたり、熱分解や電気分解などせずにオゾン処理だけで、炭酸ソーダ水の酸化力を高める方法である。
【課題を解決するための手段】
【０００５】
本発明は、炭酸ソーダ(Na2CO3 )を水に溶かしてオゾン処理しOH-をOHラジカルに変化させ強い酸化力の特徴とする溶存酸素OHラジカル水製造方法。
薬剤や熱など 危険性の高い物を用いなくても、簡単に酸化力のある溶存酸素アルカリ性の水製造方法等を提供する。
【発明の効果】
【０００６】
この水は、炭酸ソーダ溶液のOH-をオゾン処理して促進酸化法でOHラジカルを発生させ酸化力のある溶存酸素アルカリ性の水です。
このアルカリ性の水は、薬剤のような残留による二次感染の心配がありません。
しかもこの製法だと安全な薬剤と短時間で製造できるため、電力事情の不安な海外での製造の応用が容易である。
そこで本発明者は炭酸ソーダ(食品添加物)水をオゾン処理することでOHラジカルを発生させ強い酸化力のあるアルカリ性の水ができるのではないかと考えて製造に着手した。
本製品は危険な薬品やアルカリ剤を使用しないにもかかわらず、酸化力のある安全なアルカリ性の水なので、各分野の応用が容易にできる。
【発明を実施するための形態】
【０００７】
この発明は炭酸ソーダ100グラムと水500mlを混ぜ20%の炭酸ソーダ溶液を1分間オゾン処理してOH-を促進酸化法でOHラジカルを発生させ強い酸化作用のある溶存酸素アルカリ水を製造する。
A.炭酸ソーダ100gと水500mlを混ぜ20%の炭酸ソーダ溶液を作る。
Ｂ.Aを容器に入れ特許番号:特許第1749793号オゾン発生器で発生させたオゾンをホースで1分間バブリングしてOH-を促進酸化法による反応でOHラジカルを発生させる。
Ｃ.オゾンの分解により溶存酸素濃度の高い酸化力のあるアルカリ性の水溶液が出来る。
【産業上の利用可能性】
【０００８】
本製品は危険な薬品やアルカリ剤を使用しないにもかかわらず、酸化力のある安全なアルカリ性の水なので、各分野の応用が容易にできる。
簡単に酸化力のある、水を使用することが期待でき、加水分解や染色、塗装、接着、パーマ、ワックスなどの重合などにも応用できる。
酸素が溶け込んだアルカリ性の水のため、虫歯や、歯周病、カンジダ菌などの酸性や嫌気性を好む菌類の繁殖を抑えることが出来るためうがいなどで口腔ケアなど医療分野での利用が可能。
土壌改良では、雑草は酸性土壌を好む傾向が強いので、ph調整も可能で農業分野でも利用が可能。
乳化作用がある為に、食品、化粧品分野でも利用ができる。
石油製品に混ぜエマルジョン燃料としての使用出来る可能性がある。
酸素が溶存しているため、水質改善や、難分解性有機物の分野も期待出来る。
OHラジカルによる化学、生物、放射性物質分解の分野でも利用が可能である。
油脂を使わ無い為、ハラール認証も、認められる。